(57)【特許請求の範囲】
【請求項１】
被洗髪者の頭部を挿入可能な水槽と、上記水槽の両側壁面，後壁面，底壁面前方部に設けられた、洗浄水を噴射する複数の洗浄用ノズルと、上記水槽の底壁面後方部に設けられた、上記洗浄用ノズルから噴射された洗浄水を排水する排水口とを備えた洗髪機において、
上記水槽は、
上記水槽の底壁面前方部に設けられた複数の洗浄用ノズルの間隙に、上記排水口の方向に延びる溝を備え、
上記洗浄用ノズルから噴射された洗浄水が、上記水槽の底壁面に設けられた溝を通って上記排水口から排水されることを特徴とする洗髪機。
【発明の詳細な説明】
【０００１】
【発明の属する技術分野】
本発明は、美容院，理髪店等に設置される洗髪機に関するものである。
【０００２】
【従来の技術】
図３は従来の洗髪機の構成の概略を示す正面図である。
図３において、１はキャビネット、２はキャビネット１内に設けられた，開口部２ｆを有する水槽、３は水槽２の前縁部２ｇに設けられた首受け部であり、被洗髪者９が頭部を水槽２に挿入した際に、被洗髪者９の襟首部を支持する。５は水槽２に開閉自在に取り付けられた，中央に開口部５ａを有するフェイスカバーであり、被洗髪者９が頭部を水槽２に挿入した状態で被洗髪者９の頭部を覆い、洗髪中被洗髪者９の顔面に温水が飛散するのを防止する。６は水槽２の内壁面に付着した毛髪やシャンプー液，リンス液を洗い落としたり、洗髪の仕上げ時に用いる，引き出し可能なハンドシャワー、７はシャンプー液を収納するシャンプータンク、８はリンス液を収納するリンスタンクである。
【０００３】
図４及び図５は従来の洗髪機の構成の概略を示す図であり、図４は縦断面図、図５は平面図である。図６は図５の洗髪機の水槽のｘ−ｘ線矢視の縦断面図である。
【０００４】
図において、図３と同一符号は、同一又は相当部分に該当する。
図に示すように、水槽２の両側壁面２ａ，後壁面２ｂ及び底壁面２ｄの各壁面には、シャワーヘッドＳ１〜Ｓ１２及びノズルヘッドＮ１〜Ｎ６が配設されている。シャワーヘッドＳ１〜Ｓ１２は、キャビネット１内の貯湯タンク（図示せず）から汲み出された温水を噴射する。また、ノズルヘッドＮ１〜Ｎ６は、シャンプータンク７又はリンスタンク８から汲み出されたシャンプー液又はリンス液と、キャビネット１内の貯湯タンク（図示せず）から汲み出された温水とを混合して得られた，シャンプー液又はリンス液が混合された温水を噴射する。
【０００５】
また、水槽２の底壁面２ｄには段差が設けられており、首受け部３側は浅く形成されており、一方、奥側は深く形成されている。上記水槽２の首受け部３側に浅く形成された底壁面２ｄには、シャワーヘッドＳ１，Ｓ４，Ｓ６，Ｓ８，Ｓ９，ノズルヘッドＮ３〜Ｎ５が配置され、上記水槽２の奥側の底壁面２ｄには排水口４が設けられている。
【０００６】
水槽２の各壁面に設けられたシャワーヘッドＳ１〜Ｓ１２及びノズルヘッドＮ１〜Ｎ６から噴射される温水等の洗浄水は、水槽２の底壁面２ｄ上を流れ、水槽２の奥側の底壁面２ｄに設けられた排水口４から排水される。
【０００７】
以下、このように構成された従来の洗髪機の動作について説明する。
被洗髪者９が仰向け姿勢で頭部を水槽２に挿入した状態で、洗髪運転を開始すると、まず、シャワーヘッドＳ１〜Ｓ１２から所定期間温水が噴射される。
【０００８】
次いで、シャンプー工程に移り、シャワーヘッドＳ１〜Ｓ１２から温水が噴射されると共に、ノズルヘッドＮ１〜Ｎ６からシャンプー液が混合された温水が噴射され、頭髪のシャンプー洗浄が行われる。
【０００９】
シャンプー工程が終了すると、濯ぎ工程に移り、ノズルヘッドＮ１〜Ｎ６からのシャンプー液が混合された温水の噴射は停止し、シャワーヘッドＳ１〜Ｓ１２から噴射される温水により頭髪の濯ぎが行われる。
【００１０】
次いで、リンス工程に移り、ノズルヘッドＮ１〜Ｎ６からリンス液が混合された温水が噴射されると共に、シャワーヘッドＳ１〜Ｓ１２から温水が噴射され、頭髪のリンス洗浄が行われる。
【００１１】
次いで、濯ぎ工程に移り、ノズルヘッドＮ１〜Ｎ６からのリンス液が混合された温水の噴射は停止し、シャワーヘッドＳ１〜Ｓ１２から噴射される温水により頭髪に付いているリンス液の濯ぎが行われ、全洗髪工程を終了する。
【００１２】
上記洗髪工程において、上記シャワーヘッドＳ１〜Ｓ１２，ノズルヘッドＮ１〜Ｎ６から被洗髪者９の頭部に集中的に噴射された温水，シャンプー液又はリンス液が混合された温水は、水槽２の底壁面２ｄ上を流れて、水槽２の奥側の底壁面２ｄに設けられた排水口４から排水される。
【００１３】
【発明が解決しようとする課題】
しかしながら、上記従来の洗髪機により洗髪を行う際には、洗浄用ノズルから被洗髪者の頭部に集中的に噴射された洗浄水は、水槽の底壁面に設けられた洗浄用ノズルの噴射口の上を流れて排水口から排水されるため、水槽の底壁面に設けられた洗浄用ノズルから被洗髪者の後頭部へ噴射される洗浄水の噴射圧が下がり、被洗髪者の後頭部が十分に洗浄されないという問題点があった。
【００１４】
本発明はこのような問題点を解決するためになされたもので、洗髪中、水槽の底壁面に設けられた洗浄用ノズルから噴射される洗浄水の噴射圧を一定圧に保つことが可能な洗髪機を提供することを目的としている。
【００１５】
【課題を解決するための手段】
本発明は上記目的を達成するために、請求項１に係る洗髪機は、被洗髪者の頭部を挿入可能な水槽と、上記水槽の両側壁面，後壁面，底壁面前方部に設けられた、洗浄水を噴射する複数の洗浄用ノズルと、上記水槽の底壁面後方部に設けられた、上記洗浄用ノズルから噴射された洗浄水を排水する排水口とを備えた洗髪機において、上記水槽は、上記水槽の底壁面前方部に設けられた複数の洗浄用ノズルの間隙に、上記排水口の方向に延びる溝を備え、上記洗浄用ノズルから噴射された洗浄水が、上記水槽の底壁面に設けられた溝を通って上記排水口から排水されることを特徴とするものである。
【００１６】
【発明の実施の形態】
実施の形態１．
図１，図２は本発明の実施の形態１による洗髪機の構成の概略を示す図であり、図１は平面図、図２は図１が示す洗髪機の水槽のＸ−Ｘ線矢視の縦断面図である。
【００１７】
１はキャビネット、２はキャビネット１内に設けられた，開口部２ｆを有する水槽、３は水槽２の前縁部２ｇに設けられた首受け部であり、被洗髪者９が頭部を水槽２に挿入した際に被洗髪者９の襟首部を支持する。Ｓ１〜Ｓ１２は水槽２の両側壁面２ａ，後壁面２ｂ及び底壁面２ｄに配設されたシャワーヘッドであり、温水を噴射する。Ｎ１〜Ｎ６は水槽２の両側壁面２ａ，後壁面２ｂ及び底壁面２ｄに配設されたノズルヘッドであり、シャンプー液又はリンス液が混合された温水を噴射する。
【００１８】
また、水槽２の底壁面２ｄには段差が設けられており、首受け部３側は浅く形成されており、一方、奥側は深く形成されている。上記水槽２の首受け部３側に浅く形成された底壁面２ｄには、シャワーヘッドＳ１，Ｓ４，Ｓ６，Ｓ８，Ｓ９，ノズルヘッドＮ３〜Ｎ５が配置され、上記水槽２の奥側の底壁面２ｄには排水口４が設けられている。
【００１９】
ここで、本実施の形態１による洗髪機では、水槽２の首受け部３側に浅く形成された底壁面２ｄにおいて、シャワーヘッドＳ８及びＳ９の両脇を通り、排水口４の方行に延びる細長い溝１００（図１中斜線で示される）が設けられている。また、同様に、底壁面２ｄにおいて、シャワーヘッドＳ４及びＳ６の両脇を通り、排水口４の方行に延びる細長い溝１００（図１中斜線で示される）が設けられている。
【００２０】
以下、このように構成された本発明の実施の形態１による洗髪機の動作について説明する。
被洗髪者９が仰向けになって水槽２に頭部を挿入した後、洗髪運転を開始すると、まず、シャワーヘッドＳ１〜Ｓ１２から所定期間温水が噴射される。
【００２１】
次いで、シャンプー工程に移り、シャワーヘッドＳ１〜Ｓ１２から温水が噴射されると共に、ノズルヘッドＮ１〜Ｎ６からシャンプー液が混合された温水が噴射され、頭髪のシャンプー洗浄が行われる。
【００２２】
シャンプー工程が終了すると、濯ぎ工程に移り、ノズルヘッドＮ１〜Ｎ６からのシャンプー液が混合された温水の噴射は停止し、シャワーヘッドＳ１〜Ｓ１２から噴射される温水により、頭髪に付いているシャンプー液の濯ぎが行われる。濯ぎ工程が終了すると、従来の洗髪機による洗髪工程と同様に、次のリンス工程，濯ぎ工程へと続き、全洗髪工程の作業が終了する。
【００２３】
ここで、上記洗髪工程において、シャワーヘッドＳ１〜Ｓ１２及びノズルヘッドＮ１〜Ｎ６から被洗髪者９の頭部に噴射された温水，シャンプー液またはリンス液が混合された温水は、水槽２の底壁面２ｄに設けられた溝１００を通って排水口４から排水される。即ち、洗髪後の排水は、水槽２の底壁面２ｄ上のシャワーヘッドＳ及びノズルヘッドＮからの温水等の噴射を抑止しないように水槽２の底壁面２ｄ上を流れるため、水槽２の底壁面２ｄ上のシャワーヘッドＳ及びノズルヘッドＮからの温水等の噴射圧は下がることなく所定圧に保たれ、被洗髪者９の後頭部をより効果的に洗浄することが可能となる。
【００２４】
なお、水槽２の底壁面２ｄに設けられた溝１００を流れる温水等が溢れて、該底壁面２ｄに設けられたシャワーヘッドＳ及びノズルヘッドＮの上に流れ出さないように、溝１００の深さを十分に深くしたり、また、溝１００を水槽２の首受け部側に形成された底壁面２ｄの全面に設けることで、より一層上述した効果が確実に得られる。
【００２５】
このように、本発明の実施の形態１による洗髪機によれば、シャワーヘッドＳ１〜Ｓ１２及びノズルヘッドＮ１〜Ｎ６から噴射される温水等は、水槽２の底壁面２ｄに設けられた溝１００を通って排水口４から排水されるので、水槽２の底壁面２ｄに設けられたシャワーヘッドＳ及びノズルヘッドＮから噴射される温水等の噴射圧を下げることなく所定圧に保つことができ、被洗髪者９の後頭部をより効果的に洗浄することが可能である。
【００２６】
【発明の効果】
以上のように本発明（請求項１）に係る洗髪機は、被洗髪者の頭部を挿入可能な水槽と、上記水槽の両側壁面，後壁面，底壁面前方部に設けられた、洗浄水を噴射する複数の洗浄用ノズルと、上記水槽の底壁面後方部に設けられた、上記洗浄用ノズルから噴射された洗浄水を排水する排水口とを備えた洗髪機において、上記水槽は、上記水槽の底壁面前方部に設けられた複数の洗浄用ノズルの間隙に、上記排水口の方向に延びる溝を備え、上記洗浄用ノズルから噴射された洗浄水が、上記水槽の底壁面に設けられた溝を通って上記排水口から排水されることを特徴とするものであるので、上記水槽の底壁面に設けられた洗浄用ノズルからの温水等の噴射圧を下げることなく所定圧に保つことができ、被洗髪者の頭髪の洗浄効果の向上を図ることが可能となる。
【図面の簡単な説明】
【図１】本発明の実施の形態１による洗髪機の構成の概略を示す平面図である。
【図２】図１に示す洗髪機の水槽のＸ−Ｘ線矢視の縦断面図である。
【図３】従来の洗髪機の構成の概略を示す正面図である。
【図４】従来の洗髪機の構成の概略を示す縦断面図である。
【図５】従来の洗髪機の構成の概略を示す平面図である。
【図６】図５に示す洗髪機の水槽のＸ−Ｘ線矢視の縦断面図である。
【符号の説明】
１  キャビネット
２  水槽
２ａ側壁面
２ｂ後壁面
２ｃ前壁面
２ｄ底壁面
２ｆ開口部
２ｇ前縁部
３  首受け部
４  排水口
５  フェイスカバー
５ａ開口部
６  ハンドシャワー
７  シャンプータンク
８  リンスタンク
９  被洗髪者
１００溝
Ｓ１〜Ｓ１２シャワーヘッド
Ｎ１〜Ｎ６  ノズルヘッド
【図１】
0004002031.tif 000002
【図２】
0004002031.tif 000003
【図３】
0004002031.tif 000004
【図４】
0004002031.tif 000005
【図５】
0004002031.tif 000006
【図６】
0004002031.tif 000007